(57)【要約】【課題】使用するユーザーがメーカー、機種に合ったリモコン制御コードを設定する際に、簡単な操作で行うことができる電気製品遠隔制御システム及び携帯電話機を提供する。【解決手段】電気製品と、携帯電話機とからなり、携帯電話機からの遠隔操作指示により、電気製品の動作を遠隔制御するシステムであって、電気製品は、遠隔制御情報受信部と、電気製品遠隔操作制御コードなどの識別情報を格納する非接触ＩＣ３０を有し、携帯電話機は、電気製品の非接触ＩＣ３０に記憶されている識別情報を読み出す非接触ＩＣリーダー１４と、ＩＣリーダー１４で読み出した識別情報を記憶する手段１３と、各種電気製品のリモコン制御コードを格納する手段１３と、ユーザーの操作指示を入力する操作入力部１５と、ユーザーの操作指示及びＩＣリーダー１４で読み出した識別情報に基づいて選択したコードを電気製品に送信する手段１２を備える電気製品遠隔制御システム。【選択図】図１
2009038551.tif 000002
【特許請求の範囲】
【請求項１】
電気製品と、携帯電話機能を有する携帯電話機とからなり、該携帯電話機からの遠隔操作指示により、前記電気製品の動作を遠隔制御するシステムであって、
前記電気製品は、遠隔制御情報受信部と、電気製品遠隔操作制御コードなどの識別情報を格納する非接触ＩＣを有し、
前記携帯電話機は、前記電気製品の非接触ＩＣに記憶されている識別情報を読み出す非接触ＩＣリーダーと、該ＩＣリーダーで読み出した電気製品の識別情報を記憶する記憶手段と、各種電気製品のリモコン制御コードを格納する制御コード記憶手段と、ユーザーの操作指示を入力する操作入力部と、入力されたユーザーの操作指示及び前記ＩＣリーダーで読み出した識別情報に基づいて選択したリモコン制御コードを前記電気製品に送信する送信手段を備えることを特徴とする電気製品遠隔制御システム。
【請求項２】
前記携帯電話機は、各種電気製品のリモコン制御コードを格納するセンタ装置に接続し、前記センタ装置から、前記ＩＣリーダーで読み出した電気製品の識別情報に対応するリモコン制御コードを受信する請求項１に記載の電気製品遠隔制御システム。
【請求項３】
遠隔制御情報受信部、及び電気製品遠隔操作制御コードなどの識別情報を格納する非接触ＩＣを有する電気製品の前記非接触ＩＣに記憶されている識別情報を読み出す非接触ＩＣリーダーと、該ＩＣリーダーで読み出した電気製品の識別情報を記憶する記憶手段と、各種電気製品のリモコン制御コードを格納する制御コード記憶手段と、ユーザーの操作指示を入力する操作入力部と、入力されたユーザーの操作指示及び前記ＩＣリーダーで読み出した識別情報に基づいて選択したリモコン制御コードを前記電気製品に送信する送信手段を備えることを特徴とする携帯電話機。
【請求項４】
各種電気製品のリモコン制御コードを格納するセンタ装置に接続し、前記センタ装置から、前記ＩＣリーダーで読み出した電気製品の識別情報に対応するリモコン制御コードを受信する請求項３に記載の携帯電話機。
【請求項５】
前記識別情報が各種電気製品の種類のグループごとに一意に割り当てられたＩＤ番号である請求項３又は４に記載の携帯電話機。
【請求項６】
前記識別情報が各種電気製品の製造会社又は販売会社を識別する番号である請求項３又は４に記載の携帯電話機。
【発明の詳細な説明】
【技術分野】
【０００１】
本発明は、電気製品遠隔制御システム及び携帯電話機に関し、特に電気製品をリモートコントロール機（以下、リモコンともいう。）で制御する機能を備えたリモコン機能付携帯電話機に関する。
【背景技術】
【０００２】
赤外線を利用して電気製品を遠隔制御するリモコンが知られている。赤外線リモコンのフォーマットは統一されている訳ではなく、家電メーカー毎に独自設定されている。そのため、制御する電気製品に適合するリモコンフォーマットでリモコンを動作させる必要がある。従来技術では、リモコンを使用するユーザーが、メーカーや機種に合ったリモコン制御コードを設定しなければならなかったため、設定が煩雑であった。
【０００３】
携帯電話機にリモコン制御コードをセットし、セット後は赤外線リモコンとして使用することができる携帯電話機が知られている（特許文献１参照）。
【特許文献１】特開２００３−２６４６１２号公報
【発明の開示】
【発明が解決しようとする課題】
【０００４】
しかしながら、リモコンとして利用可能な携帯電話機であっても、使用するユーザーがメーカー、機種に合ったリモコン制御コードを設定しなければならなかったため、設定が煩雑であった。
【０００５】
本発明は、従来の課題を解決するものであり、使用するユーザーがメーカー、機種に合ったリモコン制御コードを設定する際に、簡単な操作で行うことができる電気製品遠隔制御システム及び携帯電話機を提供することを目的とする。
【課題を解決するための手段】
【０００６】
上記課題を解決するため、本発明のリモコン機能付き携帯電話機は、遠隔操作する電気製品の非接触ＩＣからリモコン制御コード設定に必要な情報を読み出す非接触ＩＣリーダーを備えたことを特徴とする。
【０００７】
すなわち、本発明は、電気製品と、携帯電話機能を有する携帯電話機とからなり、該携帯電話機からの遠隔操作指示により、前記電気製品の動作を遠隔制御するシステムであって、前記電気製品は、遠隔制御情報受信部と、電気製品遠隔操作制御コードなどの識別情報を格納する非接触ＩＣを有し、前記携帯電話機は、前記電気製品の非接触ＩＣに記憶されている識別情報を読み出す非接触ＩＣリーダーと、該ＩＣリーダーで読み出した電気製品の識別情報を記憶する記憶手段と、各種電気製品のリモコン制御コードを格納する制御コード記憶手段と、ユーザーの操作指示を入力する操作入力部と、入力されたユーザーの操作指示及び前記ＩＣリーダーで読み出した識別情報に基づいて選択したリモコン制御コードを前記電気製品に送信する送信手段を備える電気製品遠隔制御システムである。
【０００８】
また、本発明は、前記携帯電話機は、各種電気製品のリモコン制御コードを格納するセンタ装置に接続し、前記センタ装置から、前記ＩＣリーダーで読み出した電気製品の識別情報に対応するリモコン制御コードを受信する電気製品遠隔制御システムである。
【０００９】
そして、本発明は、遠隔制御情報受信部、及び電気製品遠隔操作制御コードなどの識別情報を格納する非接触ＩＣを有する電気製品の前記非接触ＩＣに記憶されている識別情報を読み出す非接触ＩＣリーダーと、該ＩＣリーダーで読み出した電気製品の識別情報を記憶する記憶手段と、各種電気製品のリモコン制御コードを格納する制御コード記憶手段と、ユーザーの操作指示を入力する操作入力部と、入力されたユーザーの操作指示及び前記ＩＣリーダーで読み出した識別情報に基づいて選択したリモコン制御コードを前記電気製品に送信する送信手段を備える携帯電話機である。
【００１０】
更に、本発明は、各種電気製品のリモコン制御コードを格納するセンタ装置に接続し、前記センタ装置から、前記ＩＣリーダーで読み出した電気製品の識別情報に対応するリモコン制御コードを受信する携帯電話機である。
【００１１】
また、本発明は、前記識別情報が各種電気製品の種類のグループごとに一意に割り当てられたＩＤ番号である携帯電話機である。
【００１２】
そして、本発明は、前記識別情報が各種電気製品の製造会社又は販売会社を識別する番号である携帯電話機である。
【発明の効果】
【００１３】
本発明によれば、リモコン機能付き携帯電話機をリモコンで制御したい電気製品に近づけることで、その電気製品に内蔵した非接触ＩＣから携帯電話機に内蔵した非接触ＩＣリーダーが識別情報を取得し、その電気製品に適したリモコン制御コードを設定するため、携帯電話機のユーザーは、電気製品のメーカー・機種に合ったリモコン制御コードを設定する必要がなく、電気製品のメーカー、機種などを意識せずに、電気製品に携帯電話機を近づけるだけで、リモコン機能を使用することができる。
【発明を実施するための最良の形態】
【００１４】
本発明を実施するための最良の形態を説明する。
以下、本発明の電気製品遠隔制御システム及び携帯電話機の一実施例について、図面を用いて説明する。
【００１５】
実施例を説明する。図１は、本実施例の電気製品遠隔制御システムにおける携帯電話機の電気的構成を示すブロック図である。同図において、従来技術と同様な機能を有するマイク１、スピーカー２、変調部３、復調部４、送信部５、受信部６、共用部７、アンテナ８、制御部９、ＣＰＵ１０、赤外線リモコン機能１１、赤外線発光部１２、記憶部１３、操作入力部１５と、本実施例の特徴である非接触ＩＣリーダー１４とで構成されている。非接触ＩＣリーダー１４は、被制御装置である電気製品が備える非接触ＩＣ３０と無線通信を行って電気製品の識別情報の受信を行うものである。非接触ＩＣリーダー１４および非接触ＩＣ３０の詳細な構成については後述する。
【００１６】
次に本実施例における携帯電話機の動作について、図１を参照して説明する。
基地局（図示していない）から送信された搬送波は、アンテナ８で受信され、共用部７を介して受信部６に渡される。受信部６で搬送波を中間周波数に変換後、復調部４で中間周波数を音声信号として復調し、復調された信号をスピーカー２から音声として出力する。
【００１７】
一方、マイク１から入力された音声情報は、変調部３にてデジタル変調され、送信部５にて搬送波周波数の信号に変換後、共用部７を通り、アンテナ８から基地局（図示していない）へ送信される。これらの制御は、ＣＰＵ１０から制御部９を介して行われる。
【００１８】
赤外線リモコン機能１１はＣＰＵ１０で制御され、赤外線リモコン機能１１から出力された信号は、赤外線発光部１２にて発光され送出される。
【００１９】
非接触ＩＣリーダー１４は、ＣＰＵ１０で制御され、リモコン制御を行いたい電気製品の非接触ＩＣ３０に携帯電話機を近づけた際に、無線通信によって識別情報を取得する。取得した識別情報は、ＣＰＵ１０に渡される。ＣＰＵ１０は、取得した識別情報を記憶部１３に格納する。
【００２０】
ここで、上記識別情報として、各メーカーの機種ごとに一意に割り当てられたＩＤ番号を用いる。しかしながら、ＩＤ番号以外でも、例えば、メーカー番号と製造年月日の組み合わせなど、リモコン制御コード設定に必要な情報が識別できれば、任意の情報を利用できる。また、ＩＤ番号などは、各種電気製品の種類のグループごとに一意に割り当てる場合や、製造会社や販売会社などを識別する番号となる場合もある。
【００２１】
記憶部１３には、取得した識別情報の他に、多種多様な電気製品の識別コードと、その識別コードに適合した各種電気製品を制御するためのリモコン制御コードが格納されている。
【００２２】
ＣＰＵ１０は、取得した識別情報と記憶部１３に格納されている多種多様な電気製品の識別コードを比較し、取得した識別情報を持つ電気製品に適合したリモコン制御コードを記憶部１３のリモコン制御コード用格納領域に保存する。
【００２３】
ユーザーがリモコンとして操作するために、ボタンを押下して、操作入力部１５から操作指示の入力があった場合、ＣＰＵ１０は、保存したリモコン制御コードを記憶部１３から読み出し、操作指示と識別コードなどを基に選択したリモコン制御コードを、赤外線リモコン機能１１、赤外線発光部１２を使用して該当電気製品に送出する。
【００２４】
次に、本実施例における非接触ＩＣリーダーの構成について、図２を用いて説明する。非接触ＩＣリーダー１４は、Ｉ／Ｆ部２０、制御部２１、記憶部２２、無線処理部２３、およびアンテナ部２４より構成され、携帯電話機に搭載される。
【００２５】
Ｉ／Ｆ部２０は、制御部２１からのデータ信号を適当な形式に変換して携帯電話機のＣＰＵ１０に送信するとともに、携帯電話機のＣＰＵ１０からのデータ信号を適当な形式に変換して制御部２１に送信するものである。
【００２６】
制御部２１は、非接触ＩＣリーダー１４内の各種構成を統括的に制御するものである。制御部２１の機能は、例えばＲＡＭやフラッシュメモリなどの記憶装置に格納されたプログラムをＣＰＵが実行することによって実現される。
特に、制御部２１は、携帯電話機のＣＰＵ１０からのデータをＩ／Ｆ部２０を介して受信し、受信したデータに基づいて、記憶部２２および無線処理部２３を制御して、記憶部２２にデータを記憶したり、非接触ＩＣ３０にデータを送信したりする。また、制御部２１は、非接触ＩＣ３０からのデータをアンテナ部２４および無線処理部２３を介して受信したり、記憶部２２からデータを読み出したりして、受信したデータ、または、読み出したデータをＩ／Ｆ部２０を介して携帯電話機のＣＰＵ１０に送信する。
【００２７】
記憶部２２は、各種データおよびプログラムを格納するものである。
【００２８】
無線処理部２３は、制御部２１から受信したデータを無線送信に適した形式に変換し、アンテナ部２４を介して外部に送信するとともに、外部からアンテナ部２４を介して受信した無線信号を元の形式に変換し、変換したデータを制御部２１に送信するものである。具体的には、無線処理部２３では、Ａ／Ｄ(Analog to Digital)変換処理、Ｄ／Ａ(Digital to Analog)変換処理、データの変復調処理、ＲＦ処理などが行われる。
【００２９】
アンテナ部２４は、変動磁界を利用して、電磁誘導方式でデータを送受信するものである。具体的には、アンテナ部２４は、電気信号を変動磁界に変換して外部に送り出すとともに、外部から変動磁界を受け取って電気信号に変換するコイルアンテナ、共振回路などを備える構成である。
【００３０】
次に、非接触ＩＣ３０の構成について、図３を用いて説明する。非接触ＩＣ３０は、搬送波整流部３１、制御部３２、記憶部３３、無線処理部３４、アンテナ部３５より構成され、電気製品に搭載される。
【００３１】
アンテナ部３５は、非接触ＩＣリーダー１４からの変動磁界を電磁誘導による非接触ＩＣ３０を動作させる電力源として受け取るものである。また、アンテナ部３５は、上記変動磁界を利用して、電磁誘導方式でデータを送受信するものである。具体的には、アンテナ部３５は、外部からの変動磁界を受け取って電気信号に変換するとともに、電気信号を変動磁界に変換して外部に送り出すコイルアンテナ、共振回路などを備える構成である。
【００３２】
搬送波整流部３１は、アンテナ部３５が変動磁界をコイルアンテナで受けることにより発生する誘起電圧を整流回路で整流し、電源回路で所定の電圧に調整した後、非接触ＩＣ３０の各部に供給するものである。搬送波整流部３１には、ブリッジダイオード、電圧調整用コンデンサなどが使用される。
【００３３】
無線処理部３４は、外部からアンテナ部３５を介して受信した無線信号を元の形式に変換し、変換したデータを制御部３２に送信するとともに、制御部３２から受信したデータを無線送信に適した形式に変換し、アンテナ部３５を介して外部に送信するものである。具体的には、無線処理部３４では、Ａ／Ｄ変換処理、Ｄ／Ａ変換処理、データの変復調処理、ＲＦ処理などが行われる。
【００３４】
制御部３２は、非接触ＩＣ３０内の各種構成を統括的に制御するものである。制御部３２の機能は、例えばＲＡＭやフラッシュなどの記憶装置に記憶されたプログラムをＣＰＵが実行することで実現される。
特に制御部３２は、非接触ＩＣリーダー１４からのデータをアンテナ部３５および無線処理部３４を介して受信し、受信したデータを記憶部３３に記憶したり、受信したデータに基づいて、記憶部３３に記憶されたデータを読み出して、無線処理部３４およびアンテナ部３５を介して非接触ＩＣリーダー１４に送信したりする。
【００３５】
記憶部３３は、各種データおよびプログラムを記憶するものである。特に、記憶部３３が記憶しているデータとしては、電気製品や非接触ＩＣ３０を識別する識別情報である。
【００３６】
実施例２を説明する。実施例１と同様な部分の説明は省略し、異なる部分を中心に説明する。実施例１と異なる部分は、実施例１で携帯電話機内に格納されていた各種電気製品を制御するためのリモコン制御コードのデータベースを、ネットワークを介してアクセスする外部装置に置くことである。
【００３７】
この外部装置であるセンタ装置４０の構成について、図４を用いて説明する。センタ装置４０は、制御部４１、通信部４２、制御コード検索部４３、制御コードＤＢ（データベース）４４より構成されている。また、センタ装置４０は、携帯電話ネットワーク４５を介して携帯電話機と通信を行う。
【００３８】
制御部４１は、センタ装置４０全体の制御を行う。
【００３９】
通信部４２は、携帯電話ネットワーク４５に対して信号を送信する。また、携帯電話ネットワーク４５から信号を受信する。
【００４０】
制御コードＤＢ４４には、多種多様な電気製品のリモコン制御コードが予め格納されている。
【００４１】
制御コード検索部４３は、制御コードＤＢ４４内を検索し、所望のリモコン制御コードを読み出すことができる。
【００４２】
以上のような制御コードデータベースを格納した外部装置であるセンタ装置４０を用いたリモコン制御コード設定方法の一例について説明する。
【００４３】
携帯電話機のＣＰＵ１０は、電気製品の非接触ＩＣ３０から非接触ＩＣリーダー１４を用いて識別情報を読み出す。ＣＰＵ１０は、読み出した識別情報に適合するリモコン制御コードを記憶部１３のリモコン制御コード格納領域から検索する。記憶部１３内に識別情報に適合したリモコン制御コードが存在しない場合、ＣＰＵ１０は、制御部９、送信部５、共用部７、アンテナ部８により、識別情報に適合したリモコン制御コードの送信を要求するコマンドを、携帯電話ネットワーク４５経由でセンタ装置４０へ送信する。
【００４４】
このコマンドは、通信部４２で受信され、制御部４１へ送られる。制御部４１は、制御コード検索部４３に対して、制御コードＤＢ４４からリモコン制御コードを検索することを指示する。制御コード検索部４３は、リモコン制御コードを検索し、制御部４１に渡す。制御部４１は、検索して得られたリモコン制御コードを、通信部４２を通して、携帯電話ネットワーク４５を用いて携帯電話機へ送信する。
【００４５】
リモコン制御コードは、携帯電話機で受信されると、ＣＰＵ１０に送られる。ＣＰＵ１０は、受信したリモコン制御コードを記憶部１３のリモコン制御コード格納領域に格納する。
【００４６】
このようにして、本実施例の携帯電話機は、記憶部１３に存在していないモコン制御コードについても、センタ装置から入手することができる。
【図面の簡単な説明】
【００４７】
【図１】実施例における携帯電話機の電気的構成を示すブロック図である。
【図２】実施例における携帯電話機における非接触ＩＣリーダーの概略構成を示すブロック図である。
【図３】実施例における非接触ＩＣリーダーと無線通信を行う非接触ＩＣの概略構成を示すブロック図である。
【図４】実施例２における携帯電話機と携帯電話ネットワークを介して通信を行うセンタ装置の概略構成を示すブロック図である。
【符号の説明】
【００４８】
１０  ＣＰＵ
１１  赤外線リモコン機能
１２  赤外線発光部
１３  記憶部
１４  非接触ＩＣリーダー
３０  非接触ＩＣ
４０  センタ装置
４３  制御コード検索部
４４  制御コードＤＢ
【図１】
2009038551.tif 000003
【図２】
2009038551.tif 000004
【図３】
2009038551.tif 000005
【図４】
2009038551.tif 000006